(57)【特許請求の範囲】
【請求項１】
内箱と外箱との間に発泡断熱材を充填して形成される断熱箱体と、断熱材が充填されており前記断熱箱体の内部を冷蔵室と冷凍室とに区分けする仕切部と、前記冷凍室の後方に設けられるとともに冷却器を配した冷凍室ダクトと、前記冷蔵室の後方に設けられる冷蔵室ダクトとを備え、前記冷却器で生成した冷気が前記冷蔵室ダクトを介して前記冷蔵室内に供給される冷蔵庫において、前記冷凍室ダクトが前記内箱の前面に設けられるとともに、前記冷蔵室ダクトが前記内箱の背面側に配したダクト部材により形成され、前記冷凍室ダクトと前記冷蔵室ダクトとを連結する連結ダクトを前記仕切部の内部に設け、
前記冷蔵室ダクトは前記内箱の背面側に形成された凹部に開口部を有し、前記仕切部が前記凹部および前記内箱の内壁に嵌合して固定されることで前記開口部と前記連結ダクトが連通し、前記冷蔵室ダクトと前記連結ダクトとが連結されることを特徴とする冷蔵庫。
【請求項２】
前記仕切部は、他の領域よりも後端部が上下方向の幅が大きく形成され、
前記連結ダクトは、前記仕切部の後端部に配されることを特徴とする請求項１に記載の冷蔵庫。
【請求項３】
前記ダクト部材は左右の端部から前方に屈曲する屈曲部と、前記屈曲部の前端から側方に屈曲する延設部とを有し、前記延設部が前記内箱の背面に面接触することを特徴とする請求項１又は請求項２に記載の冷蔵庫。
【請求項４】
前記内箱が背壁の両側端に傾斜面を有し、前記ダクト部材が前記内箱の背壁全幅に亘って形成され、前記延設部の側端が前記傾斜面に沿って屈曲して前記延設部の一部と前記傾斜面とが面接触することを特徴とする請求項３に記載の冷蔵庫。
【発明の詳細な説明】
【技術分野】
【０００１】
本発明は、冷却器で生成した冷気を冷蔵室に吐出する冷蔵室ダクトを有した冷蔵庫に関する。
【背景技術】
【０００２】
従来の冷蔵庫は特許文献１に開示される。この冷蔵庫は前面が開口した断熱箱体を有し、断熱箱体は内箱と外箱との間に発泡断熱材を充填して形成される。また、断熱箱体は仕切部を介して冷蔵室及び冷凍室に区分けされ、冷蔵室の背後には冷却器で生成した冷気が流通する冷蔵室ダクトを備える。
【０００３】
冷蔵室ダクトは内箱の背壁内側に取り付けられた樹脂成形品のダクト部材により壁面が形成され、ダクト部材には冷蔵室に冷気を吐出する吐出口が複数開口している。また、ダクト部材はダクト部材に設けられた係合爪と背壁に設けられた係合孔を係合して取り付けられ、ダクト部材と背壁との間にシール部材を介在させて冷蔵ダクトから冷気が漏出するのを防止している。これにより、圧縮機の駆動により冷却器で生成された冷気は送風機の運転によって冷蔵室に送出され、吐出口から吐出された冷気により冷蔵室内が冷却される。
【先行技術文献】
【特許文献】
【０００４】
【特許文献１】特開２０１２−２６６７７号公報
【発明の概要】
【発明が解決しようとする課題】
【０００５】
しかしながら、上記特許文献に開示された冷蔵庫によると、シール部材の厚みにより、ダクト部材が庫内側に突出するため、冷蔵室の容積が減少する問題があった。また、内箱の背壁とダクト部材との間に段差が生じるため、冷蔵室内が掃除し難く利便性が低下する問題があった。
【０００６】
本発明は、利便性を向上するとともに容積効率を向上できる冷蔵庫を提供することを目的とする。
【課題を解決するための手段】
【０００７】
上記目的を達成するために本発明の冷蔵庫は、内箱と外箱との間に発泡断熱材を充填して形成される断熱箱体と、前記断熱箱体の内部を冷蔵室と冷凍室とに区分けする仕切部と、前記冷凍室の後方に設けられるとともに冷却器を配した冷凍室ダクトと、前記冷蔵室の後方に設けられる冷蔵室ダクトとを備え、前記冷却器で生成した冷気が前記冷蔵室ダクトを介して前記冷蔵室内に供給される冷蔵庫において、前記冷凍室ダクトが前記内箱の前面に設けられるとともに、前記冷蔵室ダクトが前記内箱の背面側に配したダクト部材により形成され、前記冷蔵室の内壁よりも前記冷凍室側で前記冷凍室ダクトと前記冷蔵室ダクトとが連通することを特徴としている。
【０００８】
この構成によると、冷却器で生成された冷気が冷凍室ダクト及び冷蔵室ダクトを流通して冷蔵室に供給される。冷蔵室ダクトは内箱の背面に配したダクト部材により形成され、発泡断熱材の膨張圧力によってダクト部材が内箱に密着して固定される。これにより、内箱とダクト部材との間にシール部材を設けることなく両者間の気密性が確保される。
【０００９】
また、本発明は上記構成の冷蔵庫において、前記冷凍室ダクトと前記冷蔵室ダクトとを連結する連結ダクトを前記仕切部の内部に設けたことを特徴としている。
【００１０】
また、本発明は上記構成の冷蔵庫において、前記ダクト部材は左右の端部から前方に屈曲する屈曲部と、前記屈曲部の前端から側方に屈曲する延設部とを有し、前記延設部が前記内箱の背面に面接触することを特徴としている。
【００１１】
また、本発明は上記構成の冷蔵庫において、前記内箱が背壁の両側端に傾斜面を有し、前記ダクト部材が前記内箱の背壁全幅に亘って形成され、前記延設部の側端が前記傾斜面に沿って屈曲して前記延設部の一部と前記傾斜面とが面接触することを特徴としている。
【００１２】
また、本発明は上記構成の冷蔵庫において、前記ダクト部材の上端は前記内箱の天壁の上面に沿って前方に延びることを特徴としている。
【００１３】
また、本発明は上記構成の冷蔵庫において、前記ダクト部材が前記内箱の背面に接するとともに複数の突出部が後方に突出する本体部と、複数の前記突出部の後端を連結して遮蔽する遮蔽板とを有することを特徴としている。
【００１４】
また、本発明は上記構成の冷蔵庫において、前記内箱が背壁の両側端に傾斜面を有し、前記ダクト部材により前記傾斜面が覆われ、前記冷蔵室ダクトが前記傾斜面及び前記ダクト部材によって壁面を形成されることを特徴としている。
【００１５】
また、本発明は上記構成の冷蔵庫において、前記内箱に前記仕切部が嵌合する凹部を設け、前記ダクト部材の上下方向の一端部が前記凹部の外面の略水平面上に当接して前記ダクト部材が位置決めされることを特徴としている。
【発明の効果】
【００１６】
本発明によると、内箱の背面側に配したダクト部材によって冷蔵室ダクトが形成され、冷蔵室の内壁よりも冷凍室側で冷凍室ダクトと冷蔵室ダクトとが連通する。ダクト部材は発泡断熱材の膨張圧力によって内箱に密着するため、シール部材を省くことができる。このため、冷蔵庫の容積効率を向上することができる。また、冷却器を配して内箱の前方に突出する冷凍室ダクトから内箱の背面側の冷蔵室ダクトに冷蔵室の外側で連結されるため、冷蔵室の背壁上の段差形成を防止できる。従って、冷蔵室の背壁を容易に清掃することができ、冷蔵庫の利便性を向上することができる。
【図面の簡単な説明】
【００１７】
【図１】本発明の第１実施形態に係る冷蔵庫の側面断面図。
【図２】本発明の第１実施形態に係る冷蔵庫の仕切部の一部を拡大して示す側面断面図。
【図３】本発明の第１実施形態に係る冷蔵庫の上面断面図。
【図４】図３中のＡ部を拡大して示す拡大図。
【図５】本発明の第２実施形態に係る冷蔵庫の一部を拡大して示す上面断面図。
【図６】本発明の第３実施形態に係る冷蔵庫の一部を拡大して示す上面断面図。
【図７】本発明の第４実施形態に係る冷蔵庫の上面断面図。
【図８】図７中のＢ部を拡大して示す拡大図。
【図９】図７中のＣ部を拡大して示す拡大図。
【図１０】本発明の第５実施形態に係る冷蔵庫の一部を拡大して示す上面断面図。
【発明を実施するための形態】
【００１８】
＜第１実施形態＞
以下に本発明の実施形態を図面を参照して説明する。図１は第１実施形態の冷蔵庫１を示す側面断面図であり、図２は冷蔵庫１の仕切部６の一部を拡大して示す側面断面図である。
【００１９】
冷蔵庫１は前面が開口する箱状を成す断熱箱体２を有している。断熱箱体２の外面は外箱８により形成され、内面は内箱９により形成される。外箱８は鋼板等の金属板から成り、内箱９は樹脂成形品から成る。内箱９は前面を開口した複数の貯蔵室の少なくとも背面及び両側壁の３面の内壁を形成する。内箱９の背壁９ａと側壁９ｄとの境界には傾斜面９ｂ（図３参照）が形成される。外箱８と内箱９との間には外箱８に接して真空断熱パネル５０が配され、発泡ウレタン等の発泡断熱材２３が充填されている。これにより、内箱９上に発泡断熱材２３が接して配される。
【００２０】
真空断熱パネル５０は発泡断熱材２３より断熱性が高く、袋状の外包材（不図示）内にガラス繊維等の芯材（不図示）を内包して形成される。このとき、外包材の内部は真空引きにより芯材がスペーサとなって減圧されている。
【００２１】
断熱箱体２には上方から順に冷蔵室３、冷凍室４、野菜室５が設けられる。冷蔵室３と冷凍室４とは仕切部６によって仕切られ、冷凍室４と野菜室５とは仕切部７によって仕切られる。仕切部６、７内には発泡スチロールや発泡ウレタン等の断熱材が充填されている。仕切部６、７は予め断熱材を充填して内箱９に取り付けてもよく、空洞の仕切部６、７を内箱９に取り付けた後に発泡断熱材２３を仕切部６、７内に充填してもよい。
【００２２】
冷蔵室３は貯蔵物を冷蔵保存し、前面の開口部３ａは回動式の扉３ｂにより開閉される。冷凍室４は貯蔵物を冷凍保存し、前面の開口部４ａは貯蔵物を収納する収納ケース１２と一体に形成された引き出し式の扉４ｂにより開閉される。
【００２３】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。
【００２４】
野菜室５の背面側には機械室１６が設けられている。機械室１６には冷凍サイクルを運転する圧縮機１７が配される。機械室１６の背面は機械室カバー（不図示）により塞がれる。
【００２５】
冷凍室４の後方には内箱９の前面側に冷凍室ダクト２１が設けられている。冷凍室ダクト２１の前面は樹脂成形品のパネル４１により壁面が形成され、冷凍室ダクト２１の背面は内箱９の背壁９ａにより壁面が形成されている。パネル４１には冷凍室４に臨む吐出口２１ａ及び戻り口２１ｂが開口し、吐出口２１ａが戻り口２１ｂよりも上方に配されている。
【００２６】
冷凍室ダクト２１には冷却器１５及び送風ファン１４が配されている。冷却器１５は圧縮機１７により運転される冷凍サイクルの低温部となり、冷気を生成する。送風ファン１４は冷却器１５の上方に配され、送風ファン１４の運転によって冷気が送出される。
【００２７】
冷蔵室３の後方には内箱９の背面側に冷蔵室ダクト２２が設けられている。冷蔵室ダクト２２の前面は内箱９の背壁９ａにより壁面が形成され、冷蔵室ダクト２２の背面はダクト部材２８により壁面が形成されている。また、冷蔵室ダクト２２の上部は前方に屈曲して内箱９の天壁９ｃに沿って前方に延びており、内箱９の天壁９ｃ及びダクト部材２８により冷蔵室ダクト２２の壁面が形成されている。
【００２８】
内箱９の背壁９ａ、天壁９ｃには複数の吐出口２２ａ、２２ｂが冷蔵室３に臨んで開口している。冷蔵室ダクト２２を流通する冷気は吐出口２２ａ、２２ｂを介して冷蔵室３内に吐出される。なお、天壁９ｃに設けられた吐出口２２ｂから下方に向けて冷気を吐出することにより、冷蔵庫３の前面側に冷気のカーテンを形成して扉３ｂを開いた時に冷蔵庫３内の冷気が外部に逃げるのを防止することができる。また、冷蔵室３を流通した冷気は冷蔵室３には野菜室５に連通する連通路（不図示）を介して野菜室５に吐出される。
【００２９】
仕切部６は内箱９の両側壁及び背壁に形成された凹部９ｄに嵌合して内箱９に固定される（図２参照）。仕切部６の内部には冷蔵室ダクト２２と冷凍室ダクト２１を連結する連結ダクト６１が形成されている。連結ダクト６１は上方に向かって後方に屈曲しており、連結ダクト６１の上流端はパネル４１に設けられた第１開口部４２と連通する。第１開口部４２は冷凍室ダクト２１に臨んで開口している。また、連結ダクト６１の下流端は凹部９ｄに設けられた第２開口部９ｅと連通し、第２開口部９ｅは冷蔵室ダクト２２に臨んで開口している。
【００３０】
連結ダクト６１は内部にダンパ６０を有し、送風ファン１４の運転時、ダンパ６０の開閉量によって冷凍室ダクト２１から冷蔵室ダクト２２に流入する風量を調整する。なお、連結ダクト６１内は仕切部６内の断熱材に囲まれて断熱性が高い。このため、ダンパ６０を連結ダクト６１内に配することにより、ダンパ６０が凍結するのを防止することができる。
【００３１】
また、連結ダクト６１が仕切部６内部を通るため、冷凍室ダクト２１と冷蔵室ダクト２２とが冷蔵室３の底壁よりも下方で連通する。このため、冷蔵室ダクト２２は仕切部６よりも下方に延びており、冷蔵室ダクト２２を全て冷蔵室３の内箱９外部に配することができる。これにより、冷却器１５を配して内箱９の前方に突出する冷凍室ダクト２１から内箱９の背面側の冷蔵室ダクト２２に冷蔵室３の外側で連結されるため、冷蔵室３の底部の背壁上の段差形成を防止できる。
【００３２】
また、内箱９の前面側にダクト部材２８が配されないため、冷蔵室３の背壁上の内箱９及びダクト部材２８による段差形成を防止できる。従って、冷蔵室３の背壁を容易に清掃することができる。
【００３３】
なお、ダクト部材２８の下端部は凹部９ｄの下面の水平面上に接して配される。これにより、ダクト部材２８を上下方向に容易に位置決めすることができる。
【００３４】
また、仕切部６と凹部９ｄの当接部分及び仕切部６とパネル４１との当接部分にシール部材（不図示）が介在されている。これにより、連結ダクト６１と第１開口部４２との連結部周辺及び連結ダクト６１と第２開口部９ｅとの連結部周辺における冷気漏れを防ぐことができる。
【００３５】
図３は冷蔵室３の上面断面図であり、図４は図３のＡ部を拡大して示す拡大図である。冷蔵室ダクト２２は冷蔵室３の背面中央部に上下方向に延びており、内箱９の背面側中央部に配したダクト部材２８により形成される。
【００３６】
ダクト部材２８は背壁９ａに接する板状の本体部２７と遮蔽部２６により形成される。本体部２７は発泡スチロール等の断熱材から成り、本体部２７の左右の端部には後方に突出する突出部２７ａが設けられる。遮蔽板２６は平板状の樹脂成形品から成り、複数の突出部２７ａの後端を連結して遮蔽する。これにより、本体部２７、突出部２７ａ及び遮蔽部２６に囲まれる領域に冷気の流通路が形成される。
【００３７】
また、本体部２７の一部には開口部２７ｂが形成され、開口部２７ｂは内箱９に形成された吐出口２２ａと一致するように配置される。これにより、冷蔵室ダクト２２内を流通する冷気が開口部２７ｂ及び吐出口２２ａを介して冷蔵室３に吐出される。
【００３８】
冷蔵庫１の組立時、内箱９の背壁９ａ及び天壁９ｃに両面粘着テープ等によってダクト部材２８を仮止めし、内箱９を外箱８に組み込み、発泡断熱材２３を充填する。
【００３９】
発泡断熱材２３の膨張圧力により、ダクト部材２８は内箱９に押圧された状態で接着固定される。このため、ダクト部材２８と内箱９との間にシール部材（不図示）を設ける必要がなく、冷蔵庫１の容積効率を向上することができる。
【００４０】
本実施形態によると内箱９の背面側に配したダクト部材２８によって冷蔵室ダクト２２が形成され、冷蔵室３の内壁よりも冷凍室４側で冷凍室ダクト２１と冷蔵室ダクト２２とが連通する。ダクト部材２８は発泡断熱材２３の膨張圧力によって内箱９に密着するため、シール部材を省くことができる。このため、冷蔵庫１の容積効率を向上することができる。
【００４１】
また、冷却器１５を配して内箱９の前方に突出する冷凍室ダクト２１から内箱９の背面側の冷蔵室ダクト２２に冷蔵室３の外側で連結されるため、冷蔵室３の背壁９ａ上の段差形成を防止できる。従って、冷蔵室３の背壁９ａを容易に清掃することができ、冷蔵庫１の利便性を向上することができる。
【００４２】
また、ダクト部材２８の上端は内箱９の天壁９ｃの上面に沿って前方に延びることにより、冷蔵室３の上部から下方に向けて冷気を吐出することができる。これにより、冷蔵庫３の前面側に冷気のカーテンを形成して扉３ｂを開いた時に冷蔵庫３内の冷気が外部に逃げるのを防止することができる。
【００４３】
また、ダクト部材２８が内箱９の背面に接して複数の突出部２７ａが後方に突出する本体部２７と、複数の突出部２７ａの後端を連結して遮蔽する遮蔽板２６とを有する。これにより、内箱９の背面に配される冷蔵室ダクト２２を容易に実現することができる。
【００４４】
また、ダクト部材２８の下端部が内箱９に設けた凹部の略水平面から成る外面上に当接してダクト部材２８が上下方向に位置決めされる。これにより、ダクト部材２８を容易に位置決めすることができる。
【００４５】
＜第２実施形態＞
次に、図５は第２実施形態に係る冷蔵庫１の一部を拡大して示す上面断面図である。なお、前述の図１〜図４に示す第１実施形態と同様の部分には同一符号を付して説明を省略する。本実施形態ではダクト部材２８は左右端から前方に屈曲する屈曲部２８ａを有する略コ字状に形成される。その他の部分は第１実施形態と同様である。
【００４６】
ダクト部材２８は発泡スチロール等の断熱材により形成され、左右端から前方に屈曲する複数の屈曲部２８ａが設けられる。屈曲部２８ａの前端は背壁９ａに当接して内箱９の背壁９ａ及びダクト部材２８により冷蔵室ダクト２２の壁面が形成される。また、ダクト部材２８は屈曲部２８ａの外面から背壁９ａに亘って接着テープ２８ｅを貼着して内箱９に固定されている。接着テープ２８ｅによりダクト部材２８が仮止めされるとともに、冷蔵室ダクト２２内の発泡断熱材２３が侵入するのを防止することができる。
【００４７】
本実施形態によると、第１実施形態と同様に内箱９とダクト部材２８との間のシール部材を省いて冷蔵庫１の容積効率を向上できる。また、冷蔵室３の背壁を容易に清掃することができ、冷蔵庫１の利便性を向上できる。
【００４８】
また、ダクト部材２８が左右の端部から前方に屈曲して内箱９に接する屈曲部２８ａを有するので、内箱９の背面に配される冷蔵室ダクト２２を容易に実現することができる。また、第１実施形態の遮蔽板２６（図４参照）を省くことができるため、部品点数を削減することができる。
【００４９】
＜第３実施形態＞
次に、図６は第３実施形態に係る冷蔵庫１の一部を拡大して示す上面断面図である。なお、前述の図５に示す第２実施形態と同様の部分には同一符号を付して説明を省略する。本実施形態ではダクト部材２８に延設部２８ｂが設けられる。その他の部分は第２実施形態と同様である。
【００５０】
ダクト部材２８は左右の端部から屈曲部２８ａが前方に屈曲し、屈曲部２８ａの前端から延設部２８ｂが側方に延びて形成される。延設部２８ｂは内箱９の背壁（背面）９ａに面接触し、両面粘着テープ（不図示）等によって内箱９に仮止めされる。
【００５１】
これにより、ダクト部材２８の両側部が内箱９の背面に広く面接触し、発泡断熱材２３の充填時にダクト部材２８と背壁９ａとの間から内部に発泡断熱材２３が侵入するのを防止することができる。また、延設部２８ｂが内箱９外面に強く押圧されて冷蔵室ダクト２２内の気密性を向上させることができる。
【００５２】
本実施形態によると、第２実施形態と同様に内箱９とダクト部材２８との間のシール部材を省いて冷蔵庫１の容積効率を向上できる。また、冷蔵室３の背壁を容易に清掃することができ、冷蔵庫１の利便性を向上できる。
【００５３】
また、ダクト部材２８が左右端から前方に屈曲する屈曲部２８ａと、屈曲部２８ａの前端から側方に延びて内箱９に面接触する延設部２８ｂとを有する。これにより、冷蔵室ダクト２２内へ発泡断熱材の侵入を防止することができる。
【００５４】
＜第４実施形態＞
図７は第４実施形態に係る冷蔵庫１の上面断面図であり、図８、図９は図７中のＢ部、Ｃ部を拡大して示す拡大図である。なお、前述の図６に示す第３実施形態と同様の部分には同一符号を付して説明を省略する。本実施形態は第３実施形態に対してダクト部材２８が背壁９ａの全幅に亘って形成されている。その他の部分は第３実施形態と同様である。
【００５５】
ダクト部材２８は左右の両端から前方に屈曲する屈曲部２８ａの前端から側方に延設部２８ｂが延び、延設部２８ｂの端部が更に前方に傾斜して屈曲する。延設部２８ｂは内箱９ｂの背壁９ａ及び傾斜面９ｂに面接触する。また、左右の屈曲部２８ａ間には前方に突出する複数の突起部２８ｃが設けられる。
【００５６】
ダクト部材２８は延設部２８ｂを両面粘着テープ（不図示）等によって内箱９に仮止めされ、発泡断熱材２３が充填される。ダクト部材２８の両側部が延設部２８ｂにより内箱９の背面に広く面接触するため、発泡断熱材２３の充填時にダクト部材２８と背壁９ａとの間から内部に発泡断熱材２３が侵入するのを防止することができる。
【００５７】
また、延設部２８ｂの側端が傾斜面９ｂと面接触しており、発泡断熱材２３の膨張圧力が延設部２８ｂを背壁９ａ及び傾斜面９ｂに押圧する方向に働く。このため、発泡断熱材２３の膨張時にダクト部材２８の側方への位置ずれを防止することができる。
【００５８】
なお、発泡断熱材２３の膨張圧力によりダクト部材２８の壁面が背壁９ａ側へ押圧されるが、突起部２８ｃによりダクト部材２８の壁面を支持しており、冷蔵室ダクト２２の変形を防止することができる。
【００５９】
本実施形態によると、第３実施形態と同様の効果を得ることができる。また、延設部２８ｂが前方に屈曲して内箱９の背壁９ａ及び傾斜面９ｂに面接触するので、ダクト部材２８のずれを防止することができる。
【００６０】
＜第５実施形態＞
次に、図１０は第５実施形態に係る冷蔵庫１の上面断面図である。なお、前述の図１〜図４に示す第１実施形態と同様の部分には同一符号を付して説明を省略する。本実施形態はダクト部材２８が傾斜面９ｂ上に設けられる。その他の部分は第１実施形態と同様である。
【００６１】
ダクト部材２８は内箱９の傾斜面９ｂに面し、両端部から傾斜面９ｂに向けて屈曲部２８ａが屈曲する。屈曲部２８ａの先端には傾斜面９ｂに沿って側方に屈曲した延設部２８ｂが形成される。延設部２８ｂの先端は内箱９の側壁９ｄ及び背壁９ａに沿って屈曲する。
【００６２】
ダクト部材２８は延設部２８ｂを両面粘着テープ等によって内箱９に仮止めされ、発泡断熱材２３が充填される。ダクト部材２８の両側部が延設部２８ｂにより内箱９の背面に広く面接触するため、発泡断熱材２３の充填時にダクト部材２８と背壁９ａとの間から内部に発泡断熱材２３が侵入するのを防止することができる。
【００６３】
また、延設部２８ｂの一端部が内箱９の傾斜面９ｂ及び背壁９ａと面接触し、他端部が内箱９の傾斜面９ｂ及び側壁９ｄに面接触する。発泡断熱材２３の膨張圧力は延設部２８ｂの一端部を傾斜面９ｂ及び背壁９ａに押圧する方向に働くとともに他端部を傾斜面９ｂ及び側壁９ｄに押圧する方向に働く。このため、発泡断熱材２３の膨張時のダクト部材２８の位置ずれを防止することができる。
【００６４】
本実施形態によると、第１実施形態と同様の効果を得ることができる。また、ダクト部材２２により傾斜面９ｂが覆われ、冷蔵室ダクト２２が傾斜面９ｂ及びダクト部材２２によって壁面を形成されるので、内箱９の背面に配される冷蔵室ダクト２２を容易に実現することができる。また、断熱箱体２のコーナーのデッドスペースに冷蔵室ダクト２２を配置できるので冷蔵庫１の容積効率をより向上することができる。
【００６５】
なお、第１〜第５実施形態において、冷蔵室２の下方に冷凍室４が配されるが、冷蔵室２の上方に冷凍室４が配されていてもよい。この時、冷蔵室２の上壁よりも上方（冷凍室４側）で冷蔵室ダクト２２と冷凍室ダクト２１とが連通する。
【産業上の利用可能性】
【００６６】
本発明によると、発泡断熱材を充填して形成される断熱箱体を備えた冷蔵庫に利用することができる。
【符号の説明】
【００６７】
１      冷蔵庫
２      断熱箱体
３      冷蔵室
３ａ    開口部
４      冷凍室
４ａ    開口部
５      野菜室
５ａ    開口部
６、７  仕切部
８      外箱
９      内箱
９ａ    背壁
９ｂ    傾斜面
９ｃ    天壁
９ｄ    凹部
１０    収納ケース
１２    収納ケース
１４    送風ファン
１５    冷却器
１６    機械室
１７    圧縮機
２１    冷凍室ダクト
２２    冷蔵室ダクト
２３    発泡断熱材
２８    ダクト部材
２８ａ  折曲部
２８ｂ  延設部
２８ｃ  突起部
４１    パネル
５０    真空断熱パネル
６０    ダンパ
【図１】
0006675211.tif 000002
【図２】
0006675211.tif 000003
【図３】
0006675211.tif 000004
【図４】
0006675211.tif 000005
【図５】
0006675211.tif 000006
【図６】
0006675211.tif 000007
【図７】
0006675211.tif 000008
【図８】
0006675211.tif 000009
【図９】
0006675211.tif 000010
【図１０】
0006675211.tif 000011